(57)【要約】【課題】補助機能を付加した乳幼児保持具を提供する。【解決手段】上部に背あて部材を有し保持対象となる乳幼児の股下から背中を支える身体保持部と、身体保持部を支持者の肩および腰に着脱可能に固定することができるベルト部材と、前記身体保持部に着脱機構を介して設けられた収納式あるいは挟持式に靴、帽子、ハンカチ、身体カバーなどを保持する物品保持部材とより構成されている。【選択図】      図１
2005000622.tif 000002
【特許請求の範囲】
【請求項１】
上部に背あて部材を有し保持対象となる乳幼児の股下から背中を支える身体保持部と、身体保持部を支持者の肩および腰に着脱可能に固定することができるベルト部材と、前記身体保持部に着脱機構を介して設けられた収納式あるいは挟持式に靴、帽子、ハンカチ、身体カバーなどを保持する物品保持部材とよりなる乳幼児保持具。
【請求項２】
物品保持部材は収納式となっており、物品保持部材に収納することができるとともに該物品保持部材内の一部で着脱可能に連結し、物品保持部材を前記身体保持部に取り付けた状態で保持されている乳幼児の身体を覆うことができる身体カバーを具備したことを特徴とする請求項１記載の乳幼児保持具。
【請求項３】
身体カバーは物品保持部材を前記身体保持部から外した状態で広げることで乳幼児を寝かせることができるシートとして利用できるものであり、利用状態で乳幼児の頭位置に配置される物品保持部材あるいは身体カバーにクッション部を設けたことを特徴とする請求項２記載の乳幼児保持具。
【請求項４】
クッション部は着脱機構を介して物品保持部材と着脱できるものであることを特徴とする請求項３記載の乳幼児保持具。
【請求項５】
クッション部に乳母車あるいは自転車の乳幼児用座席部の突っ伏して頭のあたる位置に着脱式に固定するための固定機構を設けたことを特徴とする請求項４記載の乳幼児保持具。
【発明の詳細な説明】
【０００１】
【発明の属する技術分野】
この発明は、補助機能を付加した乳幼児保持具に関するものである。
【０００２】
【従来の技術】
従来、乳幼児をオンブや抱っこするための保持具には、靴、帽子、ハンカチ、身体カバーなどの物品を着脱、保持する機能は無く、別途持ち歩かねばならなかった。また、保持具に取り付けて使う乳幼児身体カバーとして、実登３０１１６３９があった。
【０００３】
【発明が解決しようとする課題】
従来、乳幼児保持具には物品を着脱保持する機能はなく、乳幼児を保持具で連れ歩くときには、別途、様々な荷物を持ち歩かねばならなかった。乳幼児を抱っこやオンブで連れ歩くことは、それ自体重たく大変であるが、その上手荷物を持つことは重たい上に、両手が自由に使えなくなり、急な事態で乳幼児を支えることができず、危険であった。
また、乳幼児の外出は、途中で脱いでしまった靴や帽子など、ふつうの鞄には収納しにくいものが多く、それらのものは、手で持ち歩くうちに、つい置き忘れてしまうことも多かった。
また、外出途中で眠ってしまったり、気温が下がったりする際用の、タオルケットなどの身体カバーは、非使用時は畳んで持ち歩かなければならず、荷物になり、鞄にしまっておくと、取り付けにも手間がかかり、すぐに使うことができず、また、うまく身体を包めずにすぐズレ落ちてしまうなどの欠点があった。
【０００４】
【課題を解決するための手段】
乳幼児保持具の背あて部分に物品を着脱するための着脱機構を設ける。前記、着脱機構に着脱可能な収納式あるいは挟持式の物品保持部材を用いて、靴、帽子、ハンカチ、身体カバーなどの物品を必要に応じて着脱、保持、使用できるようにする。
【０００５】
【発明の実施形態】
以下、本発明の実施例について、図面を用いながら説明する。
【図２】は、着脱機構２．を設けた乳幼児保持具である。
【図３】【図２１】【図２３】は、前記着脱機構に着脱可能な物品保持部材の例であり、【図３】は身体カバーの物品保持部材、【図２１】は、靴や財布などを収納できる収納式の物品保持部材、【図２３】は、帽子やハンカチなどを挟むことができる挟持式の物品保持部材である。
【図４】は【図３】の裏面、【図２０】は【図２１】の裏面、【図２２】は【図２３】の裏面であり、前記乳幼児保持具の着脱機構に対応する着脱機構８．１８．２０を有している。
【図１０】【図２４】は、前記着脱機構を介して乳幼児保持具に物品保持部材並びに保持具により保持された物品を取り付けた例であり、【図１】は、【図３】の身体カバー保持部材を取り付けた乳幼児保持具を用いて、支持者が乳幼児を保持している様子である。
【図７】は、身体カバー保持部材３．への着脱機構１５．を有する身体カバーである。乳幼児の身体を覆う際は広げて使用し、非使用時は畳んで身体カバー保持部材に収納する。身体カバー保持部材は、乳幼児保持具の着脱機構２．に対応する着脱機構８．を有する裏カバー５．と、【図１】のとおり取り付け時に外部から見える表カバー４．が、【図５】のとおり中央部分で連結されている。これを裏返したのが【図６】であり、【図７】の身体カバー着脱機構１１．と、乳母車や自転車に留めたり、持ち手に利用できる持ち手用留め具１２．１３．を有する中裏カバー９．と、クッション部分１４．を有する中表カバー１０．とより構成される。なおこのクッション部分は着脱可能にしてもよい。
【図７】の身体カバーを、１１．１５．を介して、【図６】に取り付けた状態が【図８】である。収納時は、表カバーを折り畳み、表カバーと裏カバーを結ぶカバー留め具６．で留める。
利用時は、このカバー留め具を外し、【図９】のごとく身体カバーを広げる。【図１】は、収納状態で乳幼児保持具に取り付け利用している様子あり、【図１１】は広げた状態で利用している様子である。両端は端留め紐１６．で乳幼児保持具に留めている。
【図１】のとおり、乳幼児保持具に取り付けておけば、非利用時に手荷物として持ち歩かなくて済み、乳幼児が眠ったり、気温が下がったり…と必要な事態が生じた時、すぐに広げて利用することができる。乳幼児保持具から着脱可能なので、邪魔な場合は取り外し、【図１９】のごとく、持ち手用留め具１２．１３を利用し、鞄や乳母車などに取り付けたり、そのまま持ち歩いたり、持ち手をハンガーなどに引っ掛けて収納することも可能である。
なお、身体カバー保持部材と、身体カバーとは、前述のとおり、１１．１５を介して着脱可能であるため、身体カバーは目的に応じて雨カッパにしたり、防寒用にしたり…と入れ替えることができるし、洗濯も可能である。また、この着脱機構で押さえられているため、乳幼児の背中からズレ落ちずに利用することができる。
【図９】は、身体カバー保持部材に１１．１５．を介して取り付けた身体カバーを広げた状態であり、【図１２】は、【図９】を裏返した状態であるが、表カバーを【図１２】の矢印の方向に折り畳むと、【図１３】のごとくクッション部１４．を有する中表カバー１０．が上になる。
【図１４】のごとく、このクッション部を枕として、身体カバー７．をマットとして利用すると、乳幼児を保持具からおろし、寝かせる際、オムツ替えの際などに便利である。
また、【図２５】のごとく、身体カバーを、身体カバー保持部材から取り外し、留め紐を乳母車に結び付けズレ落ちない上掛けとしたり、通常の昼寝に用いるなど、乳幼児保持具以外の場面で利用することもできる。
また、身体カバーを取り外した、身体カバー保持部材の中裏カバーの持ち手用留め具１２．１３．を、【図１５】に示す矢印の方向に自転車や乳母車に留め付けると、【図１６】のごとく、乳幼児用座席で、乳幼児が頭を突っ伏した際、クッションで頭をガードするように用いることができる。
以上の事例において、着脱機構としてはスナップの雄雌の図をもちいて説明したが、本発明はこれに限定されず、面ファスナー、ボタンとボタンホール等、通常着脱機構としてもちいられるものであればよい。カバーの表裏を開閉式にとめる構成においても同様で、通常利用される開閉式のとめ具であればよい。
【０００６】
【発明の効果】
以上の説明から明らかなように、本発明には、以下に列挙するような効果が得られる。
（１）乳幼児保持具に設けられた着脱機構と、それに対応する物品保持部材の着脱機構とにより、物品保持部材を着脱できることから、収納式、又は、挟持式に、靴、帽子、ハンカチ、身体カバーなどを必要に応じて自在に乳幼児保持具に着脱保持することができる。
（２）（１）の効果により、乳幼児保持具で乳幼児を連れ歩く際、手荷物を持たなくて済むことから、両手を自由に使うことができ、乳幼児を保護する安全度を高くすることができる。
（３）手で持ち歩く際は、つい置き忘れることが多かった、靴や帽子などを、収納式または、挟持式に着脱保持できることから、置き忘れを減らす効果が期待できる。
（４）乳幼児保持具に、着脱機構を介して、身体カバー保持部材を取り付け、さらに、身体カバー保持部材に着脱機構を介して身体カバーを取り付けることで、身体カバーを非使用時から、乳幼児保持具に取り付け、手荷物にならずに持ち運ぶことができ、必要な際は、留め具を外して、すぐに使用することができる。
（５）身体カバー保持部材と身体カバーが着脱機構を介して取り付けられていることから、ズレ落ちないで利用することができる。
（６）身体カバー保持部材と身体カバーが着脱機構を介して取り付けられていることから、身体カバーは目的に応じて雨カッパにしたり、防寒用にしたり…と入れ替えることができるし、洗濯することもできる。
（７）身体カバー保持部材と身体カバーが着脱機構を介して取り付けられていることから、身体カバー保持部材から取り外して、留め紐を乳母車に結び付けズレ落ちない上掛けとしたり、通常の昼寝に用いるなど、身体カバーのみを乳幼児保持具以外の場面で利用することもできる。
（８）身体カバーは身体カバー保持部材を乳幼児保持具から外した状態で広げることで乳幼児を寝かせることができるシートとして利用できるものであり、利用状態で乳幼児の頭位置に配置される身体カバー保持部材にクッション部があることから、乳幼児保持具から下ろし寝かせたり、オムツ替えの際などに利用することができる。
（９）身体カバーを取り外した、身体カバー保持部材の中裏カバーの持ち手用留め具を、自転車や乳母車に留め付けることで、乳幼児用座席部の突っ伏して頭のあたる位置に、クッションを設け、頭をガードすることができる。
（１０）持ち手用留め具を用いることで、乳幼児保持具から外し、鞄や乳母車などに取り付けたり、そのまま持ち歩いたり、持ち手をハンガーなどに引っ掛けて収納することができる。
【図面の簡単な説明】
【図１】乳幼児保持具に身体カバー保持部材を取り付けて使用した説明図
【図２】乳幼児保持具の正面図
【図３】身体カバー保持部材の正面図
【図４】身体カバー保持部材の背面図
【図５】身体カバー保持部材の正面展開図
【図６】身体カバー保持部材の裏面展開図
【図７】身体カバーの説明図
【図８】身体カバー保持部材に身体カバーを取り付けた状態の正面図
【図９】身体カバー保持部材に身体カバーを取り付け、身体カバーを広げた正面図
【図１０】乳幼児保持具に身体カバー保持部材を取り付けた正面図
【図１１】乳幼児保持具に身体カバー保持部材を取り付け、身体カバーを広げて使用した説明図
【図１２】身体カバー保持部材に身体カバーを取り付け、身体カバーを広げた背面図
【図１３】身体カバー保持部材の中表面を出した状態の正面図
【図１４】身体カバー保持部材のクッション部を枕として、身体カバーをマットとして用いた説明図
【図１５】身体カバー保持部材の中裏方向からみた正面図で、持ち手用留め具の使いかたの説明図
【図１６】身体カバー保持部材を身体カバーと外して、持ち手用留め具を乳母車に取り付け、突っ伏す乳幼児の頭をクッションで支えるように用いた説明図
【図１７】身体カバー保持部材の中裏方向からみた正面図で、持ち手用留め具の使いかたの説明図
【図１８】身体カバー保持部材の中裏方向からみた正面図で、持ち手用留め具の使いかたの説明図
【図１９】身体カバー保持部材の持ち手用留め具を鞄に取り付けて使用した説明図
【図２０】収納式物品保持部材の背面図
【図２１】収納式物品保持部材の正面、説明図
【図２２】挟持式物品保持部材の背面図
【図２３】挟持式物品保持部材の正面、説明図
【図２４】収納式物品保持部材と挟持式物品保持部材を用いて物品を保持し、乳幼児保持具に取り付けた正面、説明図
【図２５】身体カバー保持部材から身体カバーを取り外し、端留め紐を乳母車に取り付け、利用した正面、説明図
【符号の説明】
１：乳幼児保持具
２：着脱機構
３：身体カバー保持部材
４：表カバー
５：裏カバー
６：カバー留め具
７：身体カバー
８：乳幼児保持具の着脱機構に対応した着脱機構
９：中裏カバー（裏カバーの裏面）
１０：中表カバー（表カバーの裏面）
１１：身体カバー着脱機構
１２：持ち手用留め具上半分
１３：持ち手用留め具下半分
１４：クッション
１５：身体カバー保持部材への着脱機構（１１．に対応する着脱機構）
１６：端留め紐
１７：収納式物品保持部材
１８：乳幼児保持具の着脱機構に対応する着脱機構
１９：挟持式物品保持部材
２０：乳幼児保持具の着脱機構に対応する着脱機構
【図１】
2005000622.tif 000003
【図２】
2005000622.tif 000004
【図３】
2005000622.tif 000005
【図４】
2005000622.tif 000006
【図５】
2005000622.tif 000007
【図６】
2005000622.tif 000008
【図７】
2005000622.tif 000009
【図８】
2005000622.tif 000010
【図９】
2005000622.tif 000011
【図１０】
2005000622.tif 000012
【図１１】
2005000622.tif 000013
【図１２】
2005000622.tif 000014
【図１３】
2005000622.tif 000015
【図１４】
2005000622.tif 000016
【図１５】
2005000622.tif 000017
【図１６】
2005000622.tif 000018
【図１７】
2005000622.tif 000019
【図１８】
2005000622.tif 000020
【図１９】
2005000622.tif 000021
【図２０】
2005000622.tif 000022
【図２１】
2005000622.tif 000023
【図２２】
2005000622.tif 000024
【図２３】
2005000622.tif 000025
【図２４】
2005000622.tif 000026
【図２５】
2005000622.tif 000027